【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
通信端末が接続される第１通信ネットワーク、及び、前記第１通信ネットワークと異なる方式であって、前記通信端末が接続される第２通信ネットワークを接続するゲートウェイ装置において、
前記ゲートウェイ装置は、少なくとも一つのプロセッサと、前記プロセッサに接続されるメモリとを備え、
前記プロセッサの資源が、前記第１通信ネットワークを管理する第１通信ブロック、前記第２通信ネットワークを管理する第２通信ブロック、及び前記第１通信ブロック及び前記第２通信ブロックへの前記プロセッサの資源の割り当てを管理する制御ブロックに割り当てられ、
前記制御ブロックは、
前記第１通信ブロックが管理する前記第１通信ネットワークへの前記通信端末の現在までの接続数である第１接続数、及び、前記第２通信ブロックが管理する前記第２通信ネットワークへの前記通信端末の現在までの接続数である第２接続数を計数する接続数計数部と、
前記第１通信ブロック及び前記第２通信ブロックへの前記プロセッサの資源の割り当てを変更する割当変更部と、を備え、
前記割当変更部は、
今回計数された前記第１接続数から前回計数された第１接続数を減算した第１減算結果を算出し、
今回計数された前記第２接続数から前回計数された第２接続数を減算した第２減算結果を算出し、
前記算出された第１減算結果又は第２減算結果と第１所定値以下とを比較し、
前記第１所定値以下となった減算結果に対応する通信ブロックに割り当てられたプロセッサの資源を、前記第１所定値以下となった減算結果に対応する通信ブロックでない他方の通信ブロックに割り当てることを特徴とするゲートウェイ装置。
【請求項２】
前記第１通信ブロック及び前記第２通信ブロックは、前記通信端末の接続を検出した場合、他のブロックに接続信号を送信し、
前記第１接続数は、前記制御ブロックが前記第１通信ブロックから前記接続信号を受信した回数であり、
前記第２接続数は、前記制御ブロックが前記第２通信ブロックから前記接続信号を受信した回数であり、
前記各通信ブロックは、自身に現在接続中の通信端末の数であるセッション数を管理し、所定のタイミングで前記セッション数を前記制御ブロックに送信し、
前記割当変更部は、
前記第１減算結果又は第２減算結果が前記第１所定値以下であると判定した場合、受信したセッション数に基づいて、前記第１所定値以下である減算結果に対応する通信ブロックでない他方の通信ブロックのセッション数を抽出し、
前記抽出されたセッション数と第２所定値とを比較し、
前記抽出されたセッション数が前記第２所定値以上である場合、前記第１所定値以下である減算結果に対応する通信ブロックに割り当てられたプロセッサの資源を、前記他方の通信ブロックに割り当て、
前記抽出されたセッション数が前記第２所定値より小さい場合、前記第１所定値以下である減算結果に対応する通信ブロックに割り当てられたプロセッサのセッション数が０になった後、当該プロセッサの資源の電源の供給を停止することを特徴とする請求項１に記載のゲートウェイ装置。
【請求項３】
前記割当変更部は、
前記算出された第１減算結果又は第２減算結果が、前記第１所定値より大きな値に設定された第３所定値より大きいか否かを判定し、
前記第１減算結果又は第２減算結果が、前記第３所定値より大きいと判定された場合、前記電源の供給が停止しているプロセッサの資源があるか否かを判定し、
前記電源の供給が停止しているプロセッサの資源がある場合、当該プロセッサの資源を前記第３所定値より大きい減算結果に対応する通信ブロックに割り当てることを特徴とする請求項２に記載のゲートウェイ装置。
【請求項４】
前記割当変更部は、
前記電源の供給が停止しているプロセッサの資源がない場合、前記第３所定値より大きい減算結果に対応する通信ブロックでない他方の通信ブロックに割り当てられたプロセッサの資源を、前記第３所定値より大きい減算結果に対応する通信ブロックに割り当てること特徴とする請求項３に記載のゲートウェイ装置。
【請求項５】
前記第１通信ブロック及び前記第２通信ブロックは、前記通信端末の接続を検出した場合、他のブロックに接続信号を送信し、
前記第１接続数は、前記制御ブロックが前記第１通信ブロックから前記接続信号を受信した回数であり、
前記第２接続数は、前記制御ブロックが前記第２通信ブロックから前記接続信号を受信した回数であり、
前記各通信ブロックは、自身に現在接続中の通信端末の数であるセッション数を管理し、所定のタイミングで前記セッション数を示すセッション数を前記制御ブロックに送信し、
前記割当変更部は、
前記第１減算結果又は第２減算結果が前記第１所定値以下であると判定した場合、受信したセッション数に基づいて、前記第１所定値以下である減算結果に対応する通信ブロックのセッション数を抽出し、
前記抽出されたセッション数と第４所定値とを比較し、
前記抽出されたセッション数が第４所定値以下である場合、前記第４所定値以下となったセッション数に対応する通信ブロックに割り当てられたプロセッサの資源を、前記第４所定値以下となったセッション数に対応する通信ブロックでない他方の通信ブロックに割り当てることを特徴とする請求項１に記載のゲートウェイ装置。
【請求項６】
前記ゲートウェイ装置は、少なくとも三つの前記プロセッサを備え、
前記第１通信ブロック、前記第２通信ブロック、及び前記制御ブロックには、前記プロセッサ単位で前記プロセッサの資源が割り当てられ、
前記割当変更部は、前記第１通信ブロック及び前記第２通信ブロックへの前記プロセッサの資源の割り当てを前記プロセッサ単位で変更することを特徴とする請求項１に記載のゲートウェイ装置。
【請求項７】
前記プロセッサは、少なくも三つのコアを備え、
前記通信ブロック割当部は、前記第１通信ブロック、前記第２通信ブロック、及び前記制御ブロックには、前記コア単位で前記プロセッサの資源が割り当てられ、
前記割当変更部は、前記第１通信ブロック及び前記第２通信ブロックへの前記プロセッサの資源の割り当てを前記コア単位で変更することを特徴とする請求項１に記載のゲートウェイ装置。
【請求項８】
前記第１通信ブロック及び前記第２通信ブロックは、前記通信端末の接続を検出した場合、他のブロックに不要ＡＲＰをブロードキャストで送信し、
前記不要ＡＲＰの送信先のＩＰアドレスには、前記通信端末の接続を検出した前記第１通信端末ブロック又は前記第２通信端末のＩＰアドレスが登録され、
前記不要ＡＲＰを受信したブロックは、前記受信した不要ＡＲＰの送信先のＩＰアドレスと自身のＩＰアドレスとが一致する場合にのみ、ＡＲＰ  Ｒｅｐｌｙを送信し、
前記接続計数部は、
前記制御ブロックが前記第１通信ブロックから前記不要ＡＲＰを受信した回数を前記第１接続数として計数し、
前記制御ブロックが前記第２通信ブロックから前記不要ＡＲＰを受信した回数を前記第２接続数として計数することを特徴とする請求項１に記載のゲートウェイ装置。
【請求項９】
通信端末が接続される第１通信ネットワーク、及び、前記第１通信ネットワークと異なる方式であって、前記通信端末が接続される第２通信ネットワークを接続するゲートウェイ装置で、各ネットワークを管理する通信ブロックに割り当てる前記プロセッサの資源を変更する通信ブロック割当変更方法において、
前記プロセッサの資源が、前記第１通信ネットワークを収容する第１通信ブロック、前記第２通信ネットワークを収容する第２通信ブロック、及び前記第１通信ブロック及び前記第２通信ブロックへの前記プロセッサの資源の割り当てを管理する制御ブロックに割り当てられ、
前記方法は、
前記制御ブロックが、前記第１通信ブロックが管理する前記第１通信ネットワークへの前記通信端末の現在までの接続数である第１接続数、及び、前記第２通信ブロックが管理する前記第２通信ネットワークへの前記通信端末の現在までの接続数である第２接続数を計数する接続数計数ステップと、
前記制御ブロックが、前記第１通信ブロック及び前記第２通信ブロックへの前記プロセッサの資源の割り当てを変更する割当変更ステップと、を備え、
前記割当変更ステップでは、
今回計数された前記第１接続数から前回計数された第１接続数を減算した第１減算結果を算出し、
今回計数された前記第２接続数から前回計数された第２接続数を減算した第２減算結果を算出し、
前記算出された第１減算結果又は第２減算結果と第１所定値以下とを比較し、
前記第１所定値以下となった減算結果に対応する通信ブロックに割り当てられたプロセッサの資源を、前記第１所定値以下となった減算結果に対応する通信ブロックでない他方の通信ブロックに割り当てることを特徴とする通信ブロック割当変更方法。
【請求項１０】
前記第１通信ブロック及び前記第２通信ブロックは、前記通信端末の接続を検出した場合、他のブロックに接続信号を送信し、
前記第１接続数は、前記制御ブロックが前記第１通信ブロックから前記接続信号を受信した回数であり、
前記第２接続数は、前記制御ブロックが前記第２通信ブロックから前記接続信号を受信した回数であり、
前記各通信ブロックは、自身に現在接続中の通信端末の数であるセッション数を管理し、所定のタイミングで前記セッション数を前記制御ブロックに送信し、
前記割当変更ステップでは、
前記第１減算結果又は第２減算結果が前記第１所定値以下であると判定した場合、受信したセッション数に基づいて、前記第１所定値以下である減算結果に対応する通信ブロックでない他方の通信ブロックのセッション数を抽出し、
前記抽出されたセッション数と第２所定値とを比較し、
前記抽出されたセッション数が前記第２所定値以上である場合、前記第１所定値以下である減算結果に対応する通信ブロックに割り当てられたプロセッサの資源を、前記他方の通信ブロックに割り当て、
前記抽出されたセッション数が前記第２所定値より小さい場合、前記第１所定値以下である減算結果に対応する通信ブロックに割り当てられたプロセッサのセッション数が０になった後、当該プロセッサの資源の電源の供給を停止することを特徴とする請求項９に記載の通信ブロック割当変更方法。
【請求項１１】
前記割当変更ステップでは、
前記算出された第１減算結果又は第２減算結果が、前記第１所定値より大きな値に設定された第３所定値より大きいか否かを判定し、
前記第１減算結果又は第２減算結果が、前記第３所定値より大きいと判定された場合、前記電源の供給が停止しているプロセッサの資源があるか否かを判定し、
前記電源の供給が停止しているプロセッサの資源がある場合、当該プロセッサの資源を前記第３所定値より大きい減算結果に対応する通信ブロックに割り当てることを特徴とする請求項１０に記載の通信ブロック割当変更方法。
【請求項１２】
前記割当変更ステップでは、
前記電源の供給が停止しているプロセッサの資源がない場合、前記第３所定値より大きい減算結果に対応する通信ブロックでない他方の通信ブロックに割り当てられたプロセッサの資源を、前記第３所定値より大きい減算結果に対応する通信ブロックに割り当てること特徴とする請求項１１に記載の通信ブロック割当変更方法。
【請求項１３】
前記第１通信ブロック及び前記第２通信ブロックは、前記通信端末の接続を検出した場合、他のブロックに接続信号を送信し、
前記第１接続数は、前記制御ブロックが前記第１通信ブロックから前記接続信号を受信した回数であり、
前記第２接続数は、前記制御ブロックが前記第２通信ブロックから前記接続信号を受信した回数であり、
前記各通信ブロックは、自身に現在接続中の通信端末の数であるセッション数を管理し、所定のタイミングで前記セッション数を示すセッション数を前記制御ブロックに送信し、
前記割当変更ステップでは、
前記第１減算結果又は第２減算結果が前記第１所定値以下であると判定した場合、受信したセッション数に基づいて、前記第１所定値以下である減算結果に対応する通信ブロックのセッション数を抽出し、
前記抽出されたセッション数と第４所定値とを比較し、
前記抽出されたセッション数が第４所定値以下である場合、前記第４所定値以下となったセッション数に対応する通信ブロックに割り当てられたプロセッサの資源を、前記第４所定値以下となったセッション数に対応する通信ブロックでない他方の通信ブロックに割り当てることを特徴とする請求項９に記載の通信ブロック割当変更方法。
【請求項１４】
前記ゲートウェイ装置は、少なくとも三つの前記プロセッサを備え、
前記第１通信ブロック、前記第２通信ブロック、及び前記制御ブロックには、前記プロセッサ単位で前記プロセッサの資源が割り当てられ、
前記割当変更ステップでは、前記第１通信ブロック及び前記第２通信ブロックへの前記プロセッサの資源の割り当てを前記プロセッサ単位で変更することを特徴とする請求項９に記載の通信ブロック割当変更方法。
【請求項１５】
前記プロセッサは、少なくも三つのコアを備え、
前記通信ブロック割当ステップでは、前記第１通信ブロック、前記第２通信ブロック、及び前記制御ブロックには、前記コア単位で前記プロセッサの資源が割り当てられ、
前記割当変更ステップでは、前記第１通信ブロック及び前記第２通信ブロックへの前記プロセッサの資源の割り当てを前記コア単位で変更することを特徴とする請求項９に記載の通信ブロック割当変更方法。
【請求項１６】
前記第１通信ブロック及び前記第２通信ブロックは、前記通信端末の接続を検出した場合、他のブロックに不要ＡＲＰをブロードキャストで送信し、
前記不要ＡＲＰの送信先のＩＰアドレスには、前記通信端末の接続を検出した前記第１通信端末ブロック又は前記第２通信端末のＩＰアドレスが登録され、
前記不要ＡＲＰを受信したブロックは、前記受信した不要ＡＲＰの送信先のＩＰアドレスと自身のＩＰアドレスとが一致する場合にのみ、ＡＲＰ  Ｒｅｐｌｙを送信し、
前記接続計数ステップでは、
前記制御ブロックが前記第１通信ブロックから前記不要ＡＲＰを受信した回数を前記第１接続数として計数し、
前記制御ブロックが前記第２通信ブロックから前記不要ＡＲＰを受信した回数を前記第２接続数として計数することを特徴とする請求項９に記載の通信ブロック割当変更方法。
【手続補正２】
【補正対象書類名】明細書
【補正対象項目名】００３１
【補正方法】変更
【補正の内容】
【００３１】
本発明の代表的な一例を示せば、通信端末が接続される第１通信ネットワーク、及び、前記第１通信ネットワークと異なる方式であって、前記通信端末が接続される第２通信ネットワークを接続するゲートウェイ装置において、前記ゲートウェイ装置は、少なくとも一つのプロセッサと、前記プロセッサに接続されるメモリとを備え、前記プロセッサの資源が、前記第１通信ネットワークを管理する第１通信ブロック、前記第２通信ネットワークを管理する第２通信ブロック、及び前記第１通信ブロック及び前記第２通信ブロックへの前記プロセッサの資源の割り当てを管理する制御ブロックに割り当てられ、前記制御ブロックは、前記第１通信ブロックが管理する前記第１通信ネットワークへの前記通信端末の現在までの接続数である第１接続数、及び、前記第２通信ブロックが管理する前記第２通信ネットワークへの前記通信端末の現在までの接続数である第２接続数を計数する接続数計数部と、前記第１通信ブロック及び前記第２通信ブロックへの前記プロセッサの資源の割り当てを変更する割当変更部と、を備え、前記割当変更部は、今回計数された前記第１接続数から前回計数された第１接続数を減算した第１減算結果を算出し、今回計数された前記第２接続数から前回計数された第２接続数を減算した第２減算結果を算出し、前記算出された第１減算結果又は第２減算結果と第１所定値以下とを比較し、前記第１所定値以下となった減算結果に対応する通信ブロックに割り当てられたプロセッサの資源を、前記第１所定値以下となった減算結果に対応する通信ブロックでない他方の通信ブロックに割り当てることを特徴とする。